(57)【特許請求の範囲】
【請求項１】
複屈折板のほぼ中央に設けた所望の領域以外に回折格子パターンを形成し、
該回折格子パターンは、所定幅および長さかつ入射光軸方向に所定の厚みを有して周期的に形成されたイオン交換領域と、該イオン交換領域の上面に形成された誘電体膜とからなり、
前記複屈折板に対する常光線は前記回折格子パターンを透過しかつ異常光線はその０次回折波が回折格子パターンによって遮断されるように、前記イオン交換領域の厚みと前記誘電体膜の膜厚が設定されていることを特徴とする光学素子。
【請求項２】
前記複屈折板の常光線に対する屈折率、異常光線に対する屈折率をそれぞれｎ1o、ｎ1eとし、前記イオン交換領域の常光線に対する屈折率、異常光線に対する屈折率および厚みをそれぞれｎ2o、ｎ2e、ｄ2 とし、前記誘電体膜の屈折率および膜厚をそれぞれｎ3 、ｄ3 としたとき、
（ｎ1o−ｎ2o）ｄ2 ＋（1 −ｎ3 ）ｄ3 ＝０
（ｎ1e−ｎ2e）ｄ2 ＋（1 −ｎ3 ）ｄ3 ＝λ／２
を満足するように、前記イオン交換領域の厚みｄ2 および誘電体膜の膜厚ｄ3 が設定されていることを特徴とする請求項１記載の光学素子。
【請求項３】
複屈折板のほぼ中央に設けた所望の領域以外に回折格子パターンを形成し、
該回折格子パターンは、所定幅および長さかつ入射光軸方向に所定の厚みを有して周期的に形成された複屈折性材料からなる凹凸部と、該凹部に形成された入射光軸方向に所定の厚みを有するイオン交換領域とからなり、
前記複屈折板に対する異常光線は前記回折格子パターンを透過しかつ常光線はその０次回折波が回折格子パターンによって遮断されるように、前記凸部の厚みと前記イオン交換領域の厚みが設定されていることを特徴とする光学素子。
【請求項４】
前記複屈折性材料からなる凸部の常光線に対する屈折率、異常光線に対する屈折率および厚みをそれぞれｎ1o、ｎ1e、ｄ1 とし、前記イオン交換領域の常光線に対する屈折率、異常光線に対する屈折率および厚みをそれぞれｎ2o、ｎ2e、ｄ2 としたとき、
（ｎ1o−1 ）ｄ1 ＋（ｎ1o−ｎ2o）ｄ2 ＝λ／２
（ｎ1e−1 ）ｄ1 ＋（ｎ1e−ｎ2e）ｄ2 ＝０
を満足するように、前記凸部の厚みｄ1 およびイオン交換領域の厚みｄ2 が設定されていることを特徴とする請求項３記載の光学素子。
【請求項５】
前記複屈折板のほぼ中央に設けた所望の領域が複屈折性材料からなることを特徴とする請求項１乃至４記載の光学素子。
【請求項６】
前記複屈折板のほぼ中央に設けた所望の領域が複屈折性材料であってかつ円形の領域からなることを特徴とする請求項１乃至４記載の光学素子。
【請求項７】
光源から出射された光の光軸上に、無偏光型ビームスプリッタと、
複屈折板のほぼ中央に設けた所望の領域以外に回折格子パターンを形成し、該回折格子パターンは、所定幅および長さかつ入射光軸方向に所定の厚みを有して周期的に形成されたイオン交換領域と、該イオン交換領域の上面に形成された誘電体膜とからなり、前記複屈折板に対する常光線は前記回折格子パターンを透過しかつ異常光線はその０次回折波が回折格子パターンによって遮断されるように、前記イオン交換領域の厚みと前記誘電体膜の膜厚が設定されている前記光学素子と、
対物レンズと、偏光方向変更手段とを設け、該偏光方向変更手段を前記無偏光型ビームスプリッタと前記光学素子との間に配置することにより、該光学素子に入射する直線偏光の偏光方向を可変し、前記光学素子より出射する光の光束径を規制することにより、前記対物レンズによって収束する光の焦点距離を可変したことを特徴とする光ピックアップ。
【請求項８】
光源から出射された光の光軸上に、無偏光型ビームスプリッタと、
複屈折板のほぼ中央に設けた所望の領域以外に回折格子パターンを形成し、該回折格子パターンは、所定幅および長さかつ入射光軸方向に所定の厚みを有して周期的に形成された複屈折性材料からなる凹凸部と、該凹部に形成された入射光軸方向に所定の厚みを有するイオン交換領域とからなり、前記複屈折板に対する異常光線は前記回折格子パターンを透過しかつ常光線はその０次回折波が回折格子パターンによって遮断されるように、前記凸部の厚みと前記イオン交換領域の厚みが設定されている前記光学素子と、
対物レンズと、偏光方向変更手段とを設け、該偏光方向変更手段を前記無偏光型ビームスプリッタと前記光学素子との間に配置することにより、該光学素子に入射する直線偏光の偏光方向を可変し、前記光学素子より出射する光の光束径を規制することにより、前記対物レンズによって収束する光の焦点距離を可変したことを特徴とする光ピックアップ。
【発明の詳細な説明】
【０００１】
【発明の属する技術分野】
本発明は光ピックアップ及びそれに用いる光学素子に関し、特に記録媒体の厚みが異なり、所定の位置から記録媒体面までの距離が異なる２つの光記録媒体に対応可能な光ピックアップに関する。
【０００２】
【従来の技術】
デジタル・ビデオ・ディスク（ＤＶＤ）は現在普及しているコンパクト・ディスク（ＣＤ）やレーザディスク（ＬＤ）の６〜８倍の記録容量であるため、次世代の記憶媒体として注目を集めている。
ＤＶＤではディスク上における記録密度を高めると共に、再生装置側において対物レンズの開口数（ＮＡ）を大きくすることにより大記憶容量を確保している。すなわち、開口数ＮＡを大きくし、ディスク面に照射するレーザ光のスポット径を小さく絞り込むことによって、ディスク面に高密度で記録された情報の読取りを可能としている。
一方、対物レンズの開口数ＮＡを大きくすると、ディスクの厚さによる収差や複屈折の影響を受けやすくなるため、光ピックアップの光軸に対してディスク面が垂直からズレる角度（チルト角）の許容値が小さくなり、ディスクの反り具合によっては再生不可能な状態となるという問題点がある。チルトの影響はＡｄ（ＮＡ）3 で表され、Ａは係数、ｄはディスクの厚みである。したがって、ＤＶＤでは、ディスクの厚みを薄くすることにより、レーザ光がディスクの表面から入って記録面で反射し再び出ていくまでの距離を短くし、許容できるチルト角を広げ、開口数ＮＡを大きくとった場合であっても所望のチルト角の許容値を確保している。そのため、ＤＶＤの厚みは、従来のＣＤの厚みｔ＝1.2mm 比べて半分の0.6mm とし、開口数の大きい対物レンズを用い、レーザ光のスポット径を小さくし、安定したデータの読み出しの実現を図っている。
ところで、ディスク状の記憶媒体としては、既にＣＤが市場で広く普及しており、またＤＶＤとＣＤ（ビデオＣＤを含む）との外形寸法が等しいこと及び類似した利用形態、すなわち、高音質ＣＤとしてのＤＶＤ利用が予想されることから、ＤＶＤ再生装置の提供に当たってはＤＶＤ再生機能とＣＤ再生機能とを持たせ、互換性を確保した装置が望まれている。
【０００３】
【課題を解決しようとする課題】
通常の光学系ではディスク基板の厚さが異なるＣＤとＤＶＤとを同じ装置にて再生すると、厚みの大きいＣＤを再生する際にスポット径が広がってしまいデータが読みとれないという問題点があり、このためディスクの厚みの異なる２つの光記録媒体に対応する各種の対処方法が提案されている。
まず第１の方法としては、再生装置内に厚みが0.6mm のディスク（ＤＶＤ）用の光ピックアップと厚みが1.2mm のディスク（ＣＤ）用の光ピックアップとを備え、再生するディスクの種類に応じて光ピックアップを切り替える方法がある。しかしながら、光ピックアップを複数備える方法では、再生装置の大型化を招くと共に、高コストであるという問題点がある。
また第２の方法として、光ピックアップにＤＶＤ対応の対物レンズとＣＤ対応の対物レンズと備え、再生するディスクに応じて対物レンズを切り替える方法も提案されているが、この方法も再生装置の大型化を招くという問題点がある。
更に第３の方法としては特開平７−３１１９４５号公報に開示されたように、１つ光ピックアップで２つの焦点距離を実現する方法も提案されている。これは図６に示すように、光源１のパワーを切り替え、これにより光源より出射する光束の径を異ならしめ、径の異なる光ビーム１７ａ、１７ｂを対物レンズに入射することによって異なる焦点距離１８ａ、１８ｂの光ビームを生成する方法である。このような光ピックアップであれば、上述した第１、第２の方法に比べて装置の小型化に寄与することができる。
しかしながら、前記第３の方法は光源に強く依存しており、光源の経時的な劣化等によって所望の光束径が得られないという虞があり、所望の光束径が得られない場合には焦点距離に誤差を生じ、ディスク上に照射する光スポット径が変動して読取エラーを生ずる可能性があった。
【０００４】
【課題を解決するための手段】
本発明は上記課題に鑑みてなされたものであって、再生装置の小型化に寄与し取り扱いの容易な光ピックアップ及びこれに用いる光学素子を提供することを目的とする。
この目的のため本発明に係る光学素子（複屈折薄板）は、
複屈折板のほぼ中央に設けた所望の領域以外に回折格子パターンを形成し、
該回折格子パターンは、所定幅および長さかつ入射光軸方向に所定の厚みを有して周期的に形成されたイオン交換領域と、該イオン交換領域の上面に形成された誘電体膜とからなり、
前記複屈折板に対する常光線は前記回折格子パターンを透過しかつ異常光線はその０次回折波が回折格子パターンによって遮断されるように、前記イオン交換領域の厚みと前記誘電体膜の膜厚が設定されていることを特徴とする。
特に、前記複屈折板の常光線に対する屈折率、異常光線に対する屈折率をそれぞれｎ1o、ｎ1eとし、前記イオン交換領域の常光線に対する屈折率、異常光線に対する屈折率および厚みをそれぞれｎ2o、ｎ2e、ｄ2 とし、前記誘電体膜の屈折率および膜厚をそれぞれｎ3 、ｄ3 としたとき、
（ｎ1o−ｎ2o）ｄ2 ＋（1 −ｎ3 ）ｄ3 ＝０
（ｎ1e−ｎ2e）ｄ2 ＋（1 −ｎ3 ）ｄ3 ＝λ／２
を満足するように、前記イオン交換領域の厚みｄ2 および誘電体膜の膜厚ｄ3 が設定されていることを特徴とする。
【０００５】
また本発明に係る光学素子（複屈折薄板）は、
複屈折板のほぼ中央に設けた所望の領域以外に回折格子パターンを形成し、
該回折格子パターンは、所定幅および長さかつ入射光軸方向に所定の厚みを有して周期的に形成された複屈折性材料からなる凹凸部と、該凹部に形成された入射光軸方向に所定の厚みを有するイオン交換領域とからなり、
前記複屈折板に対する異常光線は前記回折格子パターンを透過しかつ常光線はその０次回折波が回折格子パターンによって遮断されるように、前記凸部の厚みと前記イオン交換領域の厚みが設定されていることを特徴とする。
特に、前記複屈折性材料からなる凸部の常光線に対する屈折率、異常光線に対する屈折率および厚みをそれぞれｎ1o、ｎ1e、ｄ1 とし、前記イオン交換領域の常光線に対する屈折率、異常光線に対する屈折率および厚みをそれぞれｎ2o、ｎ2e、ｄ2 としたとき、
（ｎ1o−1 ）ｄ1 ＋（ｎ1o−ｎ2o）ｄ2 ＝λ／２
（ｎ1e−1 ）ｄ1 ＋（ｎ1e−ｎ2e）ｄ2 ＝０
を満足するように、前記凸部の厚みｄ1 およびイオン交換領域の厚みｄ2 が設定されていることを特徴とする。
【０００６】
また上記光学素子において、前記複屈折板のほぼ中央に設けた所望の領域は複屈折性材料からなることを特徴とする。
また前記複屈折板のほぼ中央に設けた所望の領域は円形の領域であることを特徴とする。
また、本発明に係る上記光学素子を用いた光ピックアップは、光源から出射された光の光軸上に、無偏光型ビームスプリッタと、前記光学素子と、対物レンズと、偏光方向変更手段とを設け、該偏光方向変更手段を前記無偏光型ビームスプリッタと前記光学素子との間に配置することにより、該光学素子に入射する直線偏光の偏光方向を可変し、前記光学素子より出射する光の光束径を規制することにより、前記対物レンズによって収束する光の焦点距離を可変したことを特徴とする。
【０００７】
【発明の実施の形態】
以下、本発明を図示した実施の形態に基づいて詳細に説明する。
図１は本発明に係る光ピックアップの全体構成を示す図であって、１は光源、２はレンズ、３はビームスプリッタ、４は１／２波長板、５は複屈折薄板、６は対物レンズ、７は光記録媒体であり、また８は絞りレンズ、９はシリンドリカルレンズ、１０は光検出器である。
前記光源１は例えばレーザダイオードを用い、一定のパワーで光ビームを出射する。尚、光源からの光ビームは直線偏光であるか若しくは所望の光学素子、例えば偏光ビームスプリッタ等を用いて単一の直線偏光成分のみを含む状態とし、直線偏光方向は後述する複屈折薄板５の光学軸に直交となるようにする。
前記レンズ２は光源１からの光ビームを平行なビームに変えるコリメートレンズである。前記ビームスプリッタ３は無偏光型ビームスプリッタ（Non Poralized Beam Spliter）であり、光記録媒体７の記録面上で反射した光ビームを光検出器１０に導くためのものである。
また光記録媒体に入射する入射光の偏光方向を変更するための手段である１／２波長板４は必要に応じて光軸上に配置されたり或いは光軸上から外れるように構成されており、且つ該１／２波長板４の光学軸は入射直線偏光の偏光方向に対して４５°傾いた状態で配置する。これにより該１／２波長板４を光軸上に配置するか否かによって、複屈折薄板に入射する入射直線偏光の偏光方向を９０゜回転せしめることができる。
【０００８】
複屈折薄板５は図２に示すように、LiNiO3等の透明な複屈折材料からなる矩形状平面板（複屈折板）１１の主面中央の円形部１２を後述する回折格子パターンを形成しない複屈折材料からなる領域とし、この円形部１２以外に光学的回折格子パターンを形成したものである。
この回折格子パターンの構造について詳細に説明すると、図３は図２に示した複屈折薄板５のＡ−Ａ断面図であって、複屈折板１１の主面には所定の幅及び長さかつ入射光軸方向に厚みｄ2 を有するイオン交換領域１３を形成し、さらにその上面には厚みｄ3 の誘電体膜１４を形成している。
このパターン上を透過する光のうち直接透過波（０次回折波）の透過率Ｉ0 は、
Ｉ0 ＝ｃｏｓ2 （δ／２）
（ただし、δ：光路ａ，ｂの光の位相差）
で表すことができるが、前記位相差は前記複屈折板の光学軸と直交する偏光成分（常光線）の場合と前記光学軸と平行な偏光成分（異常光線）との場合とで異なり、常光線に対する位相差δo および異常光線に対する位相差δe はそれぞれ次のようになる。
δo ＝２π／λ｛（ｎ1o−ｎ2o）ｄ2 ＋（1 −ｎ3 ）ｄ3 ）｝
δe ＝２π／λ｛（ｎ1e−ｎ2e）ｄ2 ＋（1 −ｎ3 ）ｄ3 ）｝
ただし、ｎ1o：複屈折板の常光線に対する屈折率、ｎ1e：複屈折板の異常光線に対する屈折率、ｎ2o：イオン交換領域の常光線に対する屈折率、ｎ2e：イオン交換領域の異常光線に対する屈折率、ｎ3 ：誘電体膜の常光線および異常光線に対する屈折率である。
【０００９】
ここで（ｎ1o−ｎ2o）ｄ2 ＋（1 −ｎ3 ）ｄ3 ＝０となるようにｄ2 、ｄ3 を設定することにより、常光線に対する透過率Ｉ0o＝１となって０次回折波をすべて透過することができる。また（ｎ1e−ｎ2e）ｄ2 ＋（1 −ｎ3 ）ｄ3 ＝λ／２となるようにｄ2 、ｄ3 を設定することにより、異常光線に対する透過率Ｉ0e＝０となって０次回折波をすべて遮断することができる。
したがって、図４（ａ）の如く複屈折板１１の光学軸と直交する偏光方向を有する光ビーム、即ち常光線は全て複屈折薄板を透過し、また図４（ｂ）の如く光学軸と平行な偏光方向成分の光ビーム、即ち異常光線は前記回折格子パターン上で回折し、円形部１２に照射された光ビームのみが透過するため、円形部１２の径と等しい瞳径で透過する。
【００１０】
【表１】
0003861270.tif 000002
表１は複屈折薄板の回折格子パターンに入射される光の透過率を測定した実験結果を示す表であり、図３における複屈折薄板５のイオン交換領域１３の厚みｄ2 を9.5 μｍ、誘電体膜１４の厚みｄ3 を1.85μｍ、回折格子パターンのピッチを12μｍ、入射する光ビームの波長λを636 ｎｍとし、１０個のサンプル各々において常光線、異常光線を入射したときの０次および±１次回折波（０次および±１次光成分）の光透過率を表している。
同表に示すように、複屈折薄板５に常光線を入射すると、該複屈折薄板５を透過する０次光の透過率は平均94.0％、±１次光の透過率は0.0 ％となり、入射光のほとんどが回折格子パターンにより回折することなく透過していることが分かる。
また複屈折薄板５に異常光線を入射すると、該複屈折薄板５を透過する０次光の透過率は平均1.2 ％、＋１次光の透過率は35.2％、−１次光の透過率は35.0％となり、入射光の直接透過波であるところの０次光がほとんど得られず、±１次光となって現れていることが分かる。
以上の結果からも、前記複屈折薄板５によって、入射光軸と同一方向に進む光ビームのうち常光線は透過し、異常光線は遮断されることが分かる。
【００１１】
また対物レンズ６は光記録媒体の記録面上への結像点の絞り込みを行うものであって、前記複屈折薄板５と対物レンズ６はホルダー１５により一体的に固定され、ユニット化されている。
以上のような構成の光ピックアップにおいて、まず光軸上に１／２波長板４が挿入されていない状態とし、光源１から出射した光ビームはコリメートレンズ２により平行なビームとなり、更にビームスプリッタ３を透過したのち複屈折薄板５に入射する。このとき入射する光ビームの偏光方向は複屈折薄板５の光学軸に対して直交である。
前述したように複屈折薄板５は円形部１２以外に回折格子パターンを形成しているので、複屈折板薄５に入射する直線偏光のビーム径はビームスプリッタ３を出射した光ビームと同一径で透過する。一方、光軸上に１／２波長板４を挿入すると、複屈折板５に入射する直線偏光の偏光方向が９０度回転し、該複屈折薄板５に対して異常光線となるため、複屈折薄板５に入射した直線偏光は回折格子パターンで回折し、円形部１２を透過した光ビームのみが円形部１２の円形と等しい瞳径（第２の瞳径）で透過する。
【００１２】
そして図５に示すように、前記複屈折薄板５を透過した光ビームは対物レンズ６に入射し、結像点に絞り込まれ、光記録媒体の記録面上に焦点として光スポットが形成される。このとき対物レンズ６の焦点距離は入射する光ビームの瞳径が大きいとき短く瞳径が小さいとき長くなるという関係を有するため、第１の瞳径の焦点距離は短く、第２の瞳径の焦点距離は長くなる。
そして光記録媒体の記録面上で反射した光ビームは再び対物レンズ６、複屈折薄板５を通ってビームスプリッタ３に入射するが、その一部が反射し、絞りレンズ８、シリンドリカルレンズ９を通って光検出器１０に入射する。従って光記録媒体上の記録情報を読み取ることができる。
上述の光ピックアップにおいてｔ＝1.2mm の光記録媒体（ＣＤ）を再生する場合は、光軸上に１／２波長板４を挿入することにより複屈折薄板５に入射する直線偏光の偏光方向を前記複屈折板の光学軸と平行になるように回転せしめ、該回折格子パターンに入射する光を回折せしめる。これにより、複屈折薄板５を透過する光ビームは複屈折薄板５の中央部に設けられた円形領域の径（第２瞳径）に等しくなり、図５に示すように長い焦点距離で結像点が結ばれ、前記光記録媒体上で光スポットが形成される。
【００１３】
またｔ＝0.6mm の光記録媒体（ＤＶＤ）を再生する場合は、光軸上から１／２波長板４を外すことにより、複屈折薄板５に入射する直線偏光の偏光方向は前記光学軸と直交せしめ、光源からの光ビームはコリメートレンズ２によって形成されたままの状態（第１の瞳径）で対物レンズ６に入射するから、図３に示すように短い焦点距離で結像点が結ばれ、前記光記録媒体上で光スポットが形成される。
尚、上記説明においては、第１の瞳径を得るために１／２波長板を光軸上に挿入し、第２の瞳径を得るために１／２波長板を光軸上から外した形態を用いて説明したが、１／２波長板に入射する光線の偏光方向を前述した形態例と比較して９０°ずらすことによって１／２波長板を光軸上に挿入した場合に第２の瞳径を得、また１／２波長板を光軸上から外した場合に第１の瞳径を得られるように変更することも可能である。
【００１４】
図６は上記複屈折薄板５の第２の形態例を示す図であって、複屈折薄板５の断面図である。同図において、複屈折板１１の主面には凹凸部１６が設けられ、該凹凸部１６は所定の幅及び長さかつ入射光軸方向に厚みｄ1 を有する凸部からなり、さらにその凹部底面には入射光軸方向に向けて厚みｄ2 のイオン交換領域１４を形成している。
上述したようにこのパターン上を透過する光のうち直接透過波（０次回折波）の透過率Ｉ0 は、
Ｉ0 ＝ｃｏｓ2 （δ／２）
（ただし、δ：光路ａ，ｂの光の位相差）で表すことができるが、前記位相差は前記複屈折板の光学軸と直交する偏光成分（常光線）の場合と前記光学軸と平行な偏光成分（異常光線）との場合とで異なり、常光線に対する位相差δo および異常光線に対する位相差δe はそれぞれ次のようになる。
δo ＝２π／λ｛（ｎ1o−1 ）ｄ1 ＋（ｎ1o−ｎ2o）ｄ2 ｝
δe ＝２π／λ｛（ｎ1e−1 ）ｄ1 ＋（ｎ1e−ｎ2e）ｄ2 ｝
ただし、ｎ1o：複屈折板の常光線に対する屈折率、ｎ1e：複屈折板の異常光線に対する屈折率、ｎ2o：イオン交換領域の常光線に対する屈折率、ｎ2e：イオン交換領域の異常光線に対する屈折率である。
【００１５】
ここで（ｎ1o−1 ）ｄ1 ＋（ｎ1o−ｎ2o）ｄ2 ＝λ／２となるようにｄ1 、ｄ2 を設定することにより、常光線に対する透過率Ｉ0o＝０となって０次回折波をすべて遮断することができる。また（ｎ1o−1 ）ｄ1 ＋（ｎ1o−ｎ2o）ｄ2 ０となるようにｄ1 、ｄ2 を設定することにより、異常光線に対する透過率Ｉ0e＝１となって０次回折波をすべて透過することができる。
したがって、図７（ａ）の如く複屈折板１１の光学軸と直交する偏光方向を有する光ビーム、即ち常光線は前記回折格子パターン上で回折し、円形部１２に照射された光ビームのみが透過するため、円形部１２の径と等しい瞳径で透過し、また図７（ｂ）の如く光学軸と平行な偏光方向成分の光ビーム、即ち異常光線は全て複屈折薄板を透過する。
以上のような構成の複屈折薄板５は、第１の形態例で示した複屈折薄板５と入射光偏光方向と瞳径との関係が逆となるものの、同様の機能を有するから、入射光の偏光方向に応じてビームの瞳径を可変し、光記録媒体までの焦点距離を異ならしめることができる。
上記形態例においてはλ／２波長板を光路に挿入し又は外すことで光の偏光方向を変更しているが、偏光ビームスプリッタを光軸を中心として９０°回転させる、或いは液晶パネルに印加する電圧を変化させるといった手段によって複屈折薄板５に入射する直線偏光の偏光方向を変えるように構成しても良い。
また、上記各形態例では円形部１２としたが円形を多角形にかえて構成することも可能である。
【００１６】
【発明の効果】
以上説明したように本発明の光ピックアップは、光源の偏光成分を切り替えることによって光ビームの瞳径を変形し、これにより光記録媒体のディスクの厚みに応じた焦点距離に変更するようにしたため、従来に比べて簡単な構成であり、再生装置を小型化する上で著しい効果を有する。また、光源の出力の誤差によって焦点距離が大きく変動することがないので、光ピックアップの動作の安定化を図るうえでも著しい効果を有する。
【図面の簡単な説明】
【図１】本発明に係る光ピックアップの全体構成を示す図。
【図２】本発明に係る複屈折薄板の第１形態例の構成を説明するための斜視図。
【図３】図２に示した本発明に係る複屈折薄板のＡ−Ａ断面図。
【図４】（ａ）及び（ｂ）は本発明に係る複屈折薄板の第１形態例の機能を説明するための斜視図。
【図５】本発明に係る光ピックアップにおける焦点距離の変更を説明するための図。
【図６】本発明に係る複屈折薄板の第２形態例を説明するための断面図。
【図７】本発明に係る複屈折薄板の第２形態例の機能を説明するための斜視図。
【図８】従来の光ピックアップの構成を示す図。
【符号の説明】
１  ・・・  光源、  ２  ・・・  集光レンズ、  ３  ・・・  ビームスプリッタ、  ４  ・・・  １／２波長板、  ５  ・・・  複屈折薄板、  ６  ・・・対物レンズ、  ７  ・・・  光記録媒体、  ８  ・・・  絞りレンズ、  ９・・・  シリンドリカルレンズ、  １０  ・・・  光検出器、  １１  ・・・ガラス板、  １２  ・・・  円形部、  １３  ・・・  イオン交換領域、  １４・・・  誘電体膜、  １５  ・・・  ホルダー、  １６  ・・・  凹凸部、
【図１】
0003861270.tif 000003
【図２】
0003861270.tif 000004
【図３】
0003861270.tif 000005
【図４】
0003861270.tif 000006
【図５】
0003861270.tif 000007
【図６】
0003861270.tif 000008
【図７】
0003861270.tif 000009
【図８】
0003861270.tif 000010